(57)【特許請求の範囲】
【請求項１】
原稿の画像情報を電子化して読み取る読み取り手段と、
この読み取り手段により読み取られた画像情報を圧縮して第一の情報形態に変換し、また、この第一の情報形態を前記画像情報に展開してもとに戻す第一の変換手段と、
前記第一の情報形態を一時記憶保持する第一の記憶手段と、
前記第一の情報形態を圧縮して第二の情報形態に変換し、また、この第二の情報形態を前記第一の情報形態に展開してもとに戻す第二の変換手段と、
前記第二の情報形態を一時記憶保持する第二の記憶手段と、
前記画像情報をもとに画像を形成する画像形成手段と、
複数の前記画像情報を同一原稿群の画像情報として順序だてて読み取った場合、前記画像形成手段による前記同一原稿群の複写部数を入力する入力手段と、
前記第二の記憶手段に記憶された前記第二の情報形態の大きさを取得する取得手段と、
前記取得手段により得られた前記第二の情報形態の大きさから、前記第二の情報形態を前記第二の記憶手段から取り出して前記第二の変換手段によって前記第一の情報形態に変換し、前記第一の記憶手段に記憶させるまでにかかる展開時間と、前記第一の情報形態を前記第一の記憶手段から取り出して前記第一の変換手段によって前記画像情報に変換し、前記画像形成手段に送り終わるまでにかかる印刷時間を予測する予測手段と、
この予測手段によって得られた前記展開時間と前記印刷時間及び前記入力手段によって入力された複写部数を参照して、前記同一原稿群とおなじ複写群を１部複写し、これを複写部数回繰り返す第一の複写方法による複写所要時間と、前記同一原稿群の画像情報一枚に対して必要枚数を複写し、これをすべての画像情報に対して行う第二の複写方法による複写所要時間を算出する算出手段と、
この算出手段により得られた前記複写方法毎の複写所要時間を表示する表示手段と、
前記複写制御手段に前記複写方法のうち一つを選択する選択手段と、
前記読み取り手段によって前記画像情報を読み取った際、前記選択手段により選択された前記第一若しくは第二の複写方法の選択に関係なく前記画像情報を前記画像形成手段に送り、前記画像情報に対し、一度だけ先に画像形成するよう前記画像形成手段を制御する制御手段と、
からなることを特徴とした画像形成装置。
【請求項２】
前記取得手段によって取得された前記第二の情報形態の大きさを前記表示手段に表示させることを特徴とした請求項１記載の画像形成装置。
【請求項３】
原稿の画像情報を電子化して読み取る読み取り手段と、
この読み取り手段により読み取られた画像情報を圧縮して第一の情報形態に変換し、また、この第一の情報形態を前記画像情報に展開してもとに戻す第一の変換手段と、
前記第一の情報形態を一時記憶保持する第一の記憶手段と、
前記第一の情報形態を圧縮して第二の情報形態に変換し、また、この第二の情報形態を前記第一の情報形態に展開してもとに戻す第二の変換手段と、
前記第二の情報形態を一時記憶保持する第二の記憶手段と、
前記画像情報をもとに画像を形成する画像形成手段と、
前記同一原稿群の複写部数を入力する入力手段と、
前記第二の情報形態を前記第二の記憶手段から取り出して前記第二の変換手段によって前記第一の情報形態に変換し、前記第一の記憶手段に記憶させるまでにかかる時間を展開時間として測定する第一の測定手段と、
前記第一の情報形態を前記第一の記憶手段から取り出して前記第一の変換手段によって前記画像情報に変換し、前記画像形成手段に送り終わるまでの時間を印刷時間として測定する第二の測定手段と、
前記第一の測定手段、第二の測定手段によって得られた前記展開時間と前記印刷時間から、前記入力手段によって入力された複写部数の複写にかかる複写所要時間を算出する算出手段と、
からなることを特徴とした画像形成装置。
【請求項４】
原稿の画像情報を電子化して読み取る読み取り手段と、
この読み取り手段により読み取られた画像情報を圧縮して第一の情報形態に変換し、また、この第一の情報形態を前記画像情報に展開してもとに戻す第一の変換手段と、
前記第一の情報形態を一時記憶保持する第一の記憶手段と、
前記第一の情報形態を圧縮して第二の情報形態に変換し、また、この第二の情報形態を前記第一の情報形態に展開してもとに戻す第二の変換手段と、
前記第二の情報形態を一時記憶保持する第二の記憶手段と、
前記画像情報をもとに画像を形成する画像形成手段と、
複数の前記画像情報を同一原稿群の画像情報として順序だてて読み取った場合、前記画像形成手段による前記同一原稿群の複写部数を入力する入力手段と、
前記第二の情報形態を前記第二の記憶手段から取り出して前記第二の変換手段によって前記第一の情報形態に変換し、前記第一の記憶手段に記憶させるまでにかかる時間を展開時間として測定する第一の測定手段と、
前記第一の情報形態を前記第一の記憶手段から取り出して前記第一の変換手段によって前記画像情報に変換し、前記画像形成手段に送り終わるまでの時間を印刷時間として測定する第二の測定手段と、
前記入力手段によって入力された同一原稿群の作成部数を参照して前記同一原稿群とおなじ複写群を１部複写し、これを複写部数回繰り返す第一の複写方法による複写所要時間と、前記同一原稿群の画像情報一枚に対して必要枚数を複写し、これをすべての画像情報に対して行う第二の複写方法による複写所要時間を前記展開時間と前記印刷時間から算出する算出手段と、
この算出手段により得られた前記複写方法毎の複写所要時間を表示する表示手段と、
前記複写制御手段に前記複写方法のうち一つを選択する選択手段と、
この選択手段により選択された前記第一若しくは第二の複写方法により複写を行うよう前記画像形成手段を制御する制御手段と、
からなることを特徴とした画像形成装置。
【請求項５】
前記第二の記憶手段に記憶された前記第二の情報形態の大きさを取得する取得手段と、
この取得手段によって取得された前記第二の情報形態の大きさを前記表示手段に表示させることを特徴とした請求項４記載の画像形成装置。
【請求項６】
前記読み取り手段によって前記画像情報を読み取った際、前記制御手段は、前記選択手段による前記２つの複写方法の選択に関係なく前記画像情報を前記画像形成手段に送り、前記画像情報に対し、一度だけ先に画像形成することを特徴とする請求項４記載の画像形成装置。
【請求項７】
原稿の画像情報を電子化して読み取る読み取り手段と、
この読み取り手段により読み取られた画像情報を圧縮して第一の情報形態に変換し、また、この第一の情報形態を前記画像情報に展開してもとに戻す第一の変換手段と、
前記第一の情報形態を一時記憶保持する第一の記憶手段と、
前記第一の情報形態を圧縮して第二の情報形態に変換し、また、この第二の情報形態を前記第一の情報形態に展開してもとに戻す第二の変換手段と、
前記第二の情報形態を一時記憶保持する第二の記憶手段と、
前記画像情報をもとに画像を形成する画像形成手段と、
複数の前記画像情報を同一原稿群の画像情報として順序だてて読み取った場合、前記画像形成手段による前記同一原稿群の複写部数を入力する入力手段と、
前記第二の記憶手段に記憶された前記第二の情報形態の大きさを取得する取得手段と、
前記取得手段により得られた前記第二の情報形態の大きさから、前記第二の情報形態を前記第二の記憶手段から取り出して前記第二の変換手段によって前記第一の情報形態に変換し、前記第一の記憶手段に記憶させるまでにかかる展開時間と、前記第一の情報形態を前記第一の記憶手段から取り出して前記第一の変換手段によって前記画像情報に変換し、前記画像形成手段に送り終わるまでにかかる印刷時間を予測する予測手段と、
この予測手段によって得られた前記展開時間と前記印刷時間及び前記入力手段によって入力された複写部数を参照して、前記同一原稿群とおなじ複写群を１部複写し、これを複写部数回繰り返す第一の複写方法による複写所要時間と、前記同一原稿群の画像情報一枚に対して必要枚数を複写し、これをすべての画像情報に対して行う第二の複写方法による複写所要時間を算出する算出手段と、
この算出手段により得られた前記第一及び第二の複写方法での複写所要時間のうち最短の時間がどちらの複写方法のものであるかを判断する判断手段と、
この判断手段によって判断された前記第一若しくは第二の複写方法を行うよう前記画像形成手段を制御する制御手段と、
からなることを特徴とした画像形成装置。
【請求項８】
原稿の画像情報を電子化して読み取る読み取り手段と、
この読み取り手段により読み取られた画像情報を圧縮して第一の情報形態に変換し、また、この第一の情報形態を前記画像情報に展開してもとに戻す第一の変換手段と、
前記第一の情報形態を一時記憶保持する第一の記憶手段と、
前記第一の情報形態を圧縮して第二の情報形態に変換し、また、この第二の情報形態を前記第一の情報形態に展開してもとに戻す第二の変換手段と、
前記第二の情報形態を一時記憶保持する第二の記憶手段と、
前記画像情報をもとに画像を形成する画像形成手段と、
複数の前記画像情報を同一原稿群の画像情報として順序だてて読み取った場合、前記画像形成手段による前記同一原稿群の複写部数を入力する入力手段と、
前記第二の情報形態を前記第二の記憶手段から取り出して前記第二の変換手段によって前記第一の情報形態に変換し、前記第一の記憶手段に記憶させるまでにかかる時間を展開時間として測定する第一の測定手段と、
前記第一の情報形態を前記第一の記憶手段から取り出して前記第一の変換手段によって前記画像情報に変換し、前記画像形成手段に送り終わるまでの時間を印刷時間として測定する第二の測定手段と、
前記入力手段によって入力された同一原稿群の作成部数を参照して前記同一原稿群とおなじ複写群を１部複写し、これを複写部数回繰り返す第一の複写方法による複写所要時間と、前記同一原稿群の画像情報一枚に対して必要枚数を複写し、これをすべての画像情報に対して行う第二の複写方法による複写所要時間を前記展開時間と前記印刷時間から算出する算出手段と、
この算出手段により得られた前記第一及び第二の複写方法での複写所要時間のうち最短の時間がどちらの複写方法のものであるかを判断する判断手段と、
この判断手段によって判断された前記第一若しくは第二の複写方法を行うよう前記画像形成手段を制御する制御手段と、
からなることを特徴とした画像形成装置。
【発明の詳細な説明】
【０００１】
【発明の属する技術分野】
この発明は、例えば電子ソートと１スキャンマルチコピーの印刷動作の可能な画像形成装置に関する。
【０００２】
【従来の技術】
ディジタル複写機等の画像形成装置は、原稿を光学的手段（スキャナ）で読み取った後、画像を電気信号に変換してシェーディング補正、γ補正等の画像処理を施した後、レーザー電子写真プロセス（プリンタ）を用いて、用紙上に画像形成する。このディジタル技術では、前述した画像処理後のデータは何度でも再利用可能であるため、このデータを一時貯えることによりアナログ複写機等のように複写する毎に原稿を読み取る必要はない（以下、この機能を１スキャンマルチコピーと呼ぶ）。そこでこの利点を生かすためにディジタル複写機等は、この一時データを貯えるためＤＲＡＭ等をページメモリとして搭載している。
【０００３】
しかし、一般に写真等の高精細画像を読み取ると、そのデータサイズはモノクロ画像で約３６ＭＢ、カラー画像では約１０８ＭＢ（以上、データの条件はＡ４サイズの原稿を６００ｄｐｉ、８ビットで読み取った場合である。）と非常に大きなデータとなってしまう。前述したページメモリはコスト面での問題があり、これらのデータを複数収容するだけの容量を搭載することは到底できない。そこで、この読み取られた原稿のデータを固定長圧縮により前記カラー画像で約１８ＭＢまで圧縮する技術が用いられている。これにより同じ容量のページメモリで約６倍（Ａ４カラー原稿で換算）のデータを収容することができることになる。更に多くの画像を収容するために、ページメモリよりも容量あたりのコストの安いハードディスク（以下、ＨＤＤということもある）を補助的に搭載する方法も考えられている。ただし、ＨＤＤはページメモリよりもアクセス速度が遅いため、データ転送に時間がかかってしまう。そこで、前述した固定長圧縮により圧縮されたデータを今度は可変長圧縮により更に圧縮をかけ、データ転送にかかる時間を縮めている。
【０００４】
以上のような技術によりディジタル複写機等では、電子ソートという新しいソート方法を提供することができる。ソートとは、複数枚の用紙からなる原稿を印刷終了時には原稿と同様に一部ずつ束の状態でまとめて積載するものである。アナログ複写機等では、例えば複数枚の原稿を３部コピーする場合、一番後ろの原稿一枚に対し、３枚のコピーを行って機械式ソータの３つの用紙積載領域（以下、ビンという）にそれぞれ送る。次に、後ろから２番目の原稿を３枚コピーし、前述の機械式ソータによって先のコピー済み用紙の上に積載する。この動作を原稿がなくなるまで行い、原稿がなくなった時点で３部のコピーが終了していることになる。しかし、前述した電子ソートでは、機械式ソータは必要ない。例えば、Ａ、Ｂ、Ｃの順に積み重ねられている原稿を読み込んだ後、データとして前述のページメモリもしくはＨＤＤに貯えておく。そして、Ａ、Ｂ、Ｃ、Ａ、Ｂ、Ｃ、Ａ、Ｂ、Ｃ、・・・と順に画像データをレーザ電子写真プロセスに送り、コピーをしていけば、原稿と同じ順序で必要部数分のコピーが完了することになる。
【０００５】
【発明が解決しようとする課題】
ところが、この電子ソートでは、前述したように読み込む画像データの大きさや数により、ページメモリの他にＨＤＤを使用する。このＨＤＤはページメモリよりもかなりデータ転送速度、アクセス速度が遅く、前記可変長圧縮による圧縮を行っても、大幅にデータ転送速度、アクセス速度を向上させることは不可能である。このデータ転送時やアクセス時の遅延により、電子ソートによる複数部のコピーを作成する際、通常のコピーに比べ大幅に時間がかかってしまい、ユーザを長時間待たせてしまうという問題点があった。しかし、一度電子ソートを指示すると、いかに時間がかかろうとも途中での変更はできず、別の印刷形態を取ろうとする場合は、印刷中止をして、最初からやり直すしかない。
そこで本発明は、前述したデジタル複写機特有の問題を解決するために、様々な印刷形態をユーザに提供することを目的とする。
【０００６】
【課題を解決するための手段】
この発明の画像形成装置は、原稿の画像情報を電子化して読み取る読み取り手段と、この読み取り手段により読み取られた画像情報を圧縮して第一の情報形態に変換し、また、この第一の情報形態を前記画像情報に展開してもとに戻す第一の変換手段と、前記第一の情報形態を一時記憶保持する第一の記憶手段と、前記第一の情報形態を圧縮して第二の情報形態に変換し、また、この第二の情報形態を前記第一の情報形態に展開してもとに戻す第二の変換手段と、前記第二の情報形態を一時記憶保持する第二の記憶手段と、前記画像情報をもとに画像を形成する画像形成手段と、複数の前記画像情報を同一原稿群の画像情報として順序だてて読み取った場合、前記画像形成手段による前記同一原稿群の複写部数を入力する入力手段と、前記第二の記憶手段に記憶された前記第二の情報形態の大きさを取得する取得手段と、前記取得手段により得られた前記第二の情報形態の大きさから、前記第二の情報形態を前記第二の記憶手段から取り出して前記第二の変換手段によって前記第一の情報形態に変換し、前記第一の記憶手段に記憶させるまでにかかる展開時間と、前記第一の情報形態を前記第一の記憶手段から取り出して前記第一の変換手段によって前記画像情報に変換し、前記画像形成手段に送り終わるまでにかかる印刷時間を予測する予測手段と、この予測手段によって得られた前記展開時間と前記印刷時間及び前記入力手段によって入力された複写部数を参照して、前記同一原稿群とおなじ複写群を１部複写し、これを複写部数回繰り返す第一の複写方法による複写所要時間と、前記同一原稿群の画像情報一枚に対して必要枚数を複写し、これをすべての画像情報に対して行う第二の複写方法による複写所要時間を算出する算出手段と、この算出手段により得られた前記複写方法毎の複写所要時間を表示する表示手段と、前記複写制御手段に前記複写方法のうち一つを選択する選択手段と、前記読み取り手段によって前記画像情報を読み取った際、前記選択手段により選択された前記第一若しくは第二の複写方法の選択に関係なく前記画像情報を前記画像形成手段に送り、前記画像情報に対し、一度だけ先に画像形成するよう前記画像形成手段を制御する制御手段とから構成されている。
【０００８】
原稿の画像情報を電子化して読み取る読み取り手段と、この読み取り手段により読み取られた画像情報を圧縮して第一の情報形態に変換し、また、この第一の情報形態を前記画像情報に展開してもとに戻す第一の変換手段と、前記第一の情報形態を一時記憶保持する第一の記憶手段と、前記第一の情報形態を圧縮して第二の情報形態に変換し、また、この第二の情報形態を前記第一の情報形態に展開してもとに戻す第二の変換手段と、前記第二の情報形態を一時記憶保持する第二の記憶手段と、前記画像情報をもとに画像を形成する画像形成手段と、前記同一原稿群の複写部数を入力する入力手段と、前記第二の情報形態を前記第二の記憶手段から取り出して前記第二の変換手段によって前記第一の情報形態に変換し、前記第一の記憶手段に記憶させるまでにかかる時間を展開時間として測定する第一の測定手段と、前記第一の情報形態を前記第一の記憶手段から取り出して前記第一の変換手段によって前記画像情報に変換し、前記画像形成手段に送り終わるまでの時間を印刷時間として測定する第二の測定手段と、前記予測手段によって得られた前記展開時間と前記印刷時間から、前記入力手段によって入力された複写部数の複写にかかる複写所要時間を算出する算出手段とから構成されている。
【０００９】
原稿の画像情報を電子化して読み取る読み取り手段と、この読み取り手段により読み取られた画像情報を圧縮して第一の情報形態に変換し、また、この第一の情報形態を前記画像情報に展開してもとに戻す第一の変換手段と、前記第一の情報形態を一時記憶保持する第一の記憶手段と、前記第一の情報形態を圧縮して第二の情報形態に変換し、また、この第二の情報形態を前記第一の情報形態に展開してもとに戻す第二の変換手段と、前記第二の情報形態を一時記憶保持する第二の記憶手段と、前記画像情報をもとに画像を形成する画像形成手段と、複数の前記画像情報を同一原稿群の画像情報として順序だてて読み取った場合、前記画像形成手段による前記同一原稿群の複写部数を入力する入力手段と、前記第二の情報形態を前記第二の記憶手段から取り出して前記第二の変換手段によって前記第一の情報形態に変換し、前記第一の記憶手段に記憶させるまでにかかる時間を展開時間として測定する第一の測定手段と、前記第一の情報形態を前記第一の記憶手段から取り出して前記第一の変換手段によって前記画像情報に変換し、前記画像形成手段に送り終わるまでの時間を印刷時間として測定する第二の測定手段と、前記入力手段によって入力された同一原稿群の作成部数を参照して前記同一原稿群とおなじ複写群を１部複写し、これを複写部数回繰り返す第一の複写方法による複写所要時間と、前記同一原稿群の画像情報一枚に対して必要枚数を複写し、これをすべての画像情報に対して行う第二の複写方法による複写所要時間を前記展開時間と前記印刷時間から算出する算出手段と、この算出手段により得られた前記複写方法毎の複写所要時間を表示する表示手段と、前記複写制御手段に前記複写方法のうち一つを選択する選択手段と、この選択手段により選択された前記第一若しくは第二の複写方法により複写を行うよう前記画像形成手段を制御する制御手段とから構成されている。
【００１０】
原稿の画像情報を電子化して読み取る読み取り手段と、この読み取り手段により読み取られた画像情報を圧縮して第一の情報形態に変換し、また、この第一の情報形態を前記画像情報に展開してもとに戻す第一の変換手段と、前記第一の情報形態を一時記憶保持する第一の記憶手段と、前記第一の情報形態を圧縮して第二の情報形態に変換し、また、この第二の情報形態を前記第一の情報形態に展開してもとに戻す第二の変換手段と、前記第二の情報形態を一時記憶保持する第二の記憶手段と、前記画像情報をもとに画像を形成する画像形成手段と、複数の前記画像情報を同一原稿群の画像情報として順序だてて読み取った場合、前記画像形成手段による前記同一原稿群の複写部数を入力する入力手段と、前記第二の記憶手段に記憶された前記第二の情報形態の大きさを取得する取得手段と、前記取得手段により得られた前記第二の情報形態の大きさから、前記第二の情報形態を前記第二の記憶手段から取り出して前記第二の変換手段によって前記第一の情報形態に変換し、前記第一の記憶手段に記憶させるまでにかかる展開時間と、前記第一の情報形態を前記第一の記憶手段から取り出して前記第一の変換手段によって前記画像情報に変換し、前記画像形成手段に送り終わるまでにかかる印刷時間を予測する予測手段と、この予測手段によって得られた前記展開時間と前記印刷時間及び前記入力手段によって入力された複写部数を参照して、前記同一原稿群とおなじ複写群を１部複写し、これを複写部数回繰り返す第一の複写方法による複写所要時間と、前記同一原稿群の画像情報一枚に対して必要枚数を複写し、これをすべての画像情報に対して行う第二の複写方法による複写所要時間を算出する算出手段と、この算出手段により得られた前記第一及び第二の複写方法での複写所要時間のうち最短の時間がどちらの複写方法のものであるかを判断する判断手段と、この判断手段によって判断された前記第一若しくは第二の複写方法を行うよう前記画像形成手段を制御する制御手段とから構成されている。
【００１１】
原稿の画像情報を電子化して読み取る読み取り手段と、この読み取り手段により読み取られた画像情報を圧縮して第一の情報形態に変換し、また、この第一の情報形態を前記画像情報に展開してもとに戻す第一の変換手段と、前記第一の情報形態を一時記憶保持する第一の記憶手段と、前記第一の情報形態を圧縮して第二の情報形態に変換し、また、この第二の情報形態を前記第一の情報形態に展開してもとに戻す第二の変換手段と、前記第二の情報形態を一時記憶保持する第二の記憶手段と、前記画像情報をもとに画像を形成する画像形成手段と、複数の前記画像情報を同一原稿群の画像情報として順序だてて読み取った場合、前記画像形成手段による前記同一原稿群の複写部数を入力する入力手段と、前記第二の情報形態を前記第二の記憶手段から取り出して前記第二の変換手段によって前記第一の情報形態に変換し、前記第一の記憶手段に記憶させるまでにかかる時間を展開時間として測定する第一の測定手段と、前記第一の情報形態を前記第一の記憶手段から取り出して前記第一の変換手段によって前記画像情報に変換し、前記画像形成手段に送り終わるまでの時間を印刷時間として測定する第二の測定手段と、前記入力手段によって入力された同一原稿群の作成部数を参照して前記同一原稿群とおなじ複写群を１部複写し、これを複写部数回繰り返す第一の複写方法による複写所要時間と、前記同一原稿群の画像情報一枚に対して必要枚数を複写し、これをすべての画像情報に対して行う第二の複写方法による複写所要時間を前記展開時間と前記印刷時間から算出する算出手段と、この算出手段により得られた前記第一及び第二の複写方法での複写所要時間のうち最短の時間がどちらの複写方法のものであるかを判断する判断手段と、この判断手段によって判断された前記第一若しくは第二の複写方法を行うよう前記画像形成手段を制御する制御手段とから構成されている。
【００１２】
【発明の実施の形態】
以下、この発明の一実施の形態を図面を参照して説明する。
図１は、この発明に係る画像形成装置としてのデジタル複写機の全体構成を概略的に示すものである。このデジタル複写機１は、自動原稿送り装置２（以下、ＡＤＦと言う）、スキャナ３、プリンタ部４から構成されている。また、プリンタ部４の正面右部には用紙を供給する給紙トレイ１８、１９があり、また、正面左部には、排紙トレイ２６が設置されている。
【００１３】
ＡＤＦ２は、原稿を複数枚載置する原稿載置台２７と、原稿載置台２７上の原稿の両端を規制するガイド板２８と、原稿を原稿載置台２７から送り出す給紙コロ２９、原稿を一枚ずつ分離する分離ローラ３０、分離された原稿を返送する搬送ローラ３１、搬送ローラ３１により送り出された原稿を後述するコンタクトガラス３２の所定の位置に搬送する搬送ベルト３３、読み込まれた原稿を排紙する際の積載場所である排紙トレイ３４から構成されている。
【００１４】
スキャナ３は、原稿を載置するコンタクトガラス３２、原稿に光を照射する露光ランプ３５と、原稿からの反射光を導くミラー３６、３７、３８と、レンズ３９、光電変換によって反射光を読み取るＣＣＤセンサ４０からなり、これによって得られたデータをデジタルに変換する（詳細は後述する）。
【００１５】
プリンタ部４は、レーザ光源であるレーザダイオード及びポリゴンミラー（共に図示しない）を有するレーザ出力ユニット１４と結像レンズ１５、１６、ミラー１７からなる光学ユニットにより、後述する画像形成部にレーザを照射する仕組みになっている。前記画像形成部は中心に回転自在に軸支された像担持体としての感光体ドラム５があり、この感光体ドラム５は、帯電チャージャ６により一様に帯電された後、不要な帯電部分をイレーザ７により除去し、前述の光学ユニットによりレーザが照射され、静電潜像が形成される。ここで形成された静電潜像は現像ユニット８によりトナーが付着され、現像される。この動作とほぼ同時に給紙ユニット１８若しくは１９内の用紙がピックアップコロ２０若しくは２１によってプリンタ部４に送り出され、レジストローラ２２によりレジストされた後、先に現像された感光体上の像を転写部９で搬送された用紙上に転写される。この転写部９で像が転写された用紙は剥離チャージャ１０及び剥離爪１１により感光体ドラム５より剥離された後、搬送ベルト２３により定着部２４に運ばれ、熱定着された後、排紙ローラ２５により排紙トレイ２６に送られる。また、感光体ドラム５上で像が用紙に転写された後は、クリーニングユニット１２により感光体ドラム５上に残ったトナーが回収され、残留電荷を除電チャージャ１３により取り除かれ、次の印刷に移る。
【００１６】
図２は、本発明のデジタル複写機の上面から見た図である。原稿載置台２７より送られた原稿は、搬送ベルト３３よってコンタクトガラス３２に送られる。この送られた原稿のサイズは、反射型センサを必要数組み込んだ原稿サイズ検知ユニット４２が備え付けられている。また、デジタル複写機１の上部手前側には、コントロールパネル５０が取付けられており、ユーザが各種設定、印刷開始等を指示することができる。
【００１７】
図３は、コンロールパネルの構成図である。コントロールパネル５０は、印刷等の開始を指示するコピースタートキー５１と、印刷枚数や各種サイズ設定のための入力をするテンキー５２、入力された置数を表示する表示パネル５３、各種情報及びメッセージを表示するＬＣＤ５４、電子ソートモードを設定や解除するための電子ソートキー５５、１スキャンマルチコピーを設定や解除するための１スキャンマルチコピーキー５６とを備えている。
【００１８】
図４は、本発明のデジタル複写機の制御回路の概要ブロック図である。装置全体の同期及び制御を行うＣＰＵ１００には、汎用バス１０５、データを一時保持するＲＡＭ１０３，制御プログラム等を格納したＲＯＭ１０４間のデータの制御を行うＣＵＰ−汎用バスブリッジ１０１が接続されている。このＣＵＰ−汎用バスブリッジ１０１には、ＲＡＭ１０３、ＲＯＭ１０４が接続されており、また、内部には経過時間を測定するタイマ１０２が内蔵されている。各制御機構からのデータ等を伝達する汎用バス１０５には、画像データの圧縮、展開やデータの転送を制御する画像転送制御部１０６と、ＨＤＤの制御を行うハードディスク制御部１１３、ＬＣＤ等の入出力部を制御するＩ／Ｏ制御部１１５が接続されている。また、画像転送制御部１０６には、画像データを記憶するページメモリ１０７と、可変長の圧縮と伸長を行う可変長圧縮／伸長部１０８と、固定長の圧縮と伸長を行う固定長圧縮／伸長部１０９が接続されており、更に固定長圧縮／伸長部１０９、画像制御部１１０が接続されている。この画像制御部１１０にはスキャナ３を制御するスキャナ制御部１１１とプリンタ部４を制御するプリンタ制御部１１２が接続されている。また、ハードディスク制御部１１３には、大容量記憶装置であるハードディスク１１４が接続されている。更に、Ｉ／Ｏ制御部１１５にはＬＣＤコントローラ１１６が接続され、コントロールパネル５０とＬＣＤ５４が制御されている。
【００１９】
図５は、ページメモリの構成を示す。例えば、６００ｄｐｉの解像度を持つカラー複写機の場合、１ドット当たり８ビット（すなわち２５６階調）であれば、Ａ４サイズの原稿であれば約１０８ＭＢ、Ａ３サイズの原稿では約２１６ＭＢのデータサイズとなる。これを固定長圧縮処理した場合、Ａ４サイズで約１８ＭＢ、Ａ３サイズで約３６ＭＢに圧縮される。図５（ａ）は、Ａ４サイズ原稿の場合のメモリの領域確保状況を示す。アドレス００００００００Ｈから１８ＭＢ分が一枚の画像データの確保領域となる。この図の場合、全体で１２８ＭＢの容量があり、Ａ４サイズの原稿で７枚分のデータを貯えることができる。Ａ３サイズの原稿の場合、２枚分のデータを貯える領域がある。
【００２０】
図６は、デジタル複写機の画像処理の流れの概略を示した図である。スキャナ３内にあるＣＣＤセンサ４０で読み取られた信号は、Ａ／Ｄ変換器１２０でデジタル信号に変換された後、シェーディング補正回路１２１、γ補正回路１２２を通して、所定の画像処理を施される。これらの処理を施された画像データは、セレクタ１２３で、一枚のみの印刷の場合、そのままレーザ出力ユニット１４に送られ、画像形成される。前述した１スキャンマルチコピーや電子ソートの場合、セレクタ１２３により、固定長圧縮／伸長部１０９に送られ、固定長圧縮された後、ページメモリ１０７に記憶される。更に、前述した電子ソートでの印刷の場合、ページメモリ１０７から可変長圧縮／伸長部１０８により可変長圧縮され、ハードディスク１１４に記憶される。
【００２１】
このハードディスク１１４にあるデータを印刷する場合は、可変長圧縮／伸長部１０８に送られて可変長展開処理され、ページメモリ１０８に一時記憶される。次に固定長圧縮／伸長部１０９に送られ、セレクタ１０９を介してレーザ出力ユニット１４に送られ、前述の印刷動作が開始される。
【００２２】
以下、図７乃至図１０を参照して発明の第一の実施例を説明する。まず、図  7 を参照して、画像形成の際に、読み込んだ画像データにより電子ソート及び１スキャンマルチコピーを行った場合の所要時間をユーザに通知する流れをフローチャートを用いて説明する。ＣＰＵ１００が、コントロールパネル５０上の電子ソートキー５５がユーザにより押されたと判断した場合（ＳＴ１）、ユーザに対して原稿をＡＤＦ２へセットさせる指示と、印刷部数入力指示をＬＣＤ５４に表示させる（ＳＴ２）。また、電子ソートキー５５が押されない場合はそのまま終了する。この入力が終わり、ユーザがコピースタートキー５１を押すと（ＳＴ３）、ページメモリ１０７内のデータが消去され（ＳＴ４）、ＡＤＦ２による原稿のコンタクトガラス３２への搬送が行われ、前述した原稿読み込みがスキャナ３により始まり（ＳＴ５）、固定長圧縮処理が開始される（ＳＴ６）。固定長圧縮処理を終えた画像データは、ページメモリ１０７に一時記憶され（ＳＴ７）、続いて可変長圧縮が行われ（ＳＴ８）、ハードディスク１１４に記憶される（ＳＴ９）。この際、このハードディスク１１４に記憶された一枚の原稿の画像データサイズをＣＰＵ１００は取得し、ＲＡＭ１０３に記憶する（ＳＴ１０）。また、この画像データサイズをＬＣＤ５４に表示させる（ＳＴ１１）。次にＡＤＦ２に原稿が残っているかの確認が行われ（ＳＴ１２）、残っている場合はＳＴ５から順に繰り返される。ＡＤＦ２に原稿がない場合は、ＲＡＭ１０３から原稿の各ページの画像サイズを読み出し（ＳＴ１３）、各ページの展開時間と印刷時間とからなる印刷所要時間を計算する（ＳＴ１４）。次に、各ページに対し、「展開時間＋印刷時間×必要枚数」により各ページ毎の必要枚数印刷所要時間を計算し、全ページの必要枚数印刷所要時間を足し合わせることで全印刷所要時間を求める（ＳＴ１５）。これを１スキャンマルチコピー所要時間としてＬＣＤ５４に表示する（ＳＴ１６）。続いて、各ページの展開時間と一枚印刷時間からなる各ページ印刷所要時間を求め（「展開時間＋一枚印刷時間＝各ページ印刷所要時間」）、これを全て足し合わせて（ＳＴ１７）、一部総印刷所要時間を求める。これを、印刷部数倍する（ＳＴ１８）ことで電子ソート所要時間を求める。これをＬＣＤ５４に表示（ＳＴ１９）する。以上により、１スキャンマルチコピー所要時間と電子ソート所要時間がユーザに提示されることになる。この段階で、電子ソートを行うかの選択がＬＣＤ５４に出され（ＳＴ２０）、ユーザが「ＹＥＳ」を選択すれば後述する電子ソート処理を行い（ＳＴ２２）、印刷を終了する。また、ＳＴ２０にて「ＮＯ」が選択された場合、ＬＣＤには「１スキャンマルチコピーを行うか？」との表示が出される（ＳＴ２１）。ここでユーザが「ＹＥＳ」を選択すれば、後述する１スキャンマルチコピー処理を行い（ＳＴ２３）、印刷を終了する。また、ＳＴ２１において「ＮＯ」が選択された場合、印刷動作は印刷を行わず終了する。
【００２３】
図８では、前述した電子ソート処理の流れのサブルーチンをフローチャートに示す。電子ソート処理が行われる場合、ＨＤＤ内に記憶された画像データのうち指定された画像データが読み出され（ＳＴ２４）、可変長圧縮／伸長部１０８により可変長展開され（ＳＴ２５−１）、ページメモリ１０７に記憶される。ページメモリ１０７に記憶された画像データは固定長圧縮／伸長部１０９で固定長展開処理され（ＳＴ２６）、セレクタ１２３でレーザ出力ユニット１４に送られ、記録紙へ画像形成される（ＳＴ２７）。原稿が１部全て印刷終了していない場合、ＳＴ２４から前述の動作を繰り返し、一部印刷がすべて終了するまで繰り返す（ＳＴ２８）。一部印刷が完了すると、ソートによる印刷部数が印刷終了したかどうかを判断し、未終了の場合はＳＴ２４から繰り返し、終了の場合はメインルーチンへ戻る。
【００２４】
図９は、１スキャンマルチコピー処理のサブルーチンをフローチャートに示す。１スキャンマルチコピー処理が行われる場合、ＨＤＤに記憶された画像データのうち指定された画像データが読み出され（ＳＴ３０）、可変長圧縮／伸長部１０８により展開され、ページメモリ１０７に記憶される（ＳＴ３１）。このページメモリ１０７に記録された画像データは、ページメモリ１０７から取り出され（ＳＴ３３）、固定長圧縮／伸長部１０９で固定長展開された後（ＳＴ３４）、セレクタ１２３によりレーザ出力ユニット１４に送られ、記録紙へ画像形成される（ＳＴ３５）。この段階で、この画像データが必要枚数印刷されたかどうか判断され（ＳＴ３６）、印刷未終了の場合はＳＴ３３へ戻り、一連の作業を繰り返す。必要部数印刷が終了している場合、次に印刷する画像データが無いか判断され、まだ印刷未終了の画像データがある場合、ＳＴ３０かから一連の作業を繰り返す。印刷未終了の画像データが無い場合、１スキャンマルチコピー動作を終了し、メインルーチンへ戻る。
【００２５】
図１０は、図７乃至図８の印刷動作が行われた場合のＬＣＤの表示例である。読み込まれた順に可変長圧縮された画像データのデータサイズを表示し、右端に電子ソート所要時間と１スキャンマルチコピー所要時間を表示している。これにより、ユーザは電子ソートか１スキャンマルチコピーかの選択を決定する材料を得ることができる。
【００２６】
次に図１１と図１２を用いて、本発明の第二の実施例について説明する。
図１１は、実際に一部印刷を行うことで、印刷予想終了時刻を計算する印刷方法のフローチャート図である。ＣＰＵ１００が、コントロールパネル５０上の電子ソートキー５５がユーザにより押されたと判断した場合（ＳＴ３８）、ユーザに対して原稿をＡＤＦ２へセットさせる指示と、印刷部数入力指示をＬＣＤ５４に表示させる（ＳＴ３９）。また、電子ソートキー５５が押されない場合はそのまま終了する。この入力が終わり、ユーザがコピースタートキー５１を押すと（ＳＴ４０）、ページメモリ１０７内のデータが消去され（ＳＴ４１）、ＡＤＦ２による原稿のコンタクトガラス３２への搬送が行われ、前述した原稿読み込みがスキャナ３により始まり（ＳＴ４２）、固定長圧縮処理が開始される（ＳＴ４３）。固定長圧縮処理を終えた画像データは、ページメモリ１０７に一時記憶され（ＳＴ４４）、続いて可変長圧縮が行われ（ＳＴ４５）、ハードディスク１１４に記憶される（ＳＴ４６）。このハードディスク１１４に記憶された画像データのデータサイズをＣＰＵ１００は取得し、ＲＡＭ１０３に記憶する（ＳＴ４７）。これと同時にハードディスク１１４に記憶された画像データに対し、後述する測定印刷モードが作動する（ＳＴ５８）。ＳＴ４７の後、ＡＤＦ２に原稿があるかどうかの判定が行われ（ＳＴ４８）、原稿がある場合はＳＴ４２に戻り、原稿の画像データの蓄積及び測定印刷を継続する。無い場合は、前記測定印刷が終了するまで待機する（ＳＴ４９）。ここで、測定印刷モードにより１部印刷が終了しているため、必要印刷部数を一部減らし、測定印刷モードにより測定した一部印刷所要時間に必要部数をかける（ＳＴ５０）。これにより電子ソート所要時間が求められ、その計算結果をＬＣＤ５４に表示する（ＳＴ５１）。次に、ＲＡＭに記憶された各ページの可変長圧縮時のデータサイズを読み出し、ＬＣＤ５４に表示させる（ＳＴ５２）。次に、ＳＴ５８で測定された展開時間と一枚印刷時間から、
展開時間＋一枚印刷時間×必要枚数
を計算し、さらに各ページ分足し合わせる（ＳＴ５３−１）。この合計時間を１スキャンマルチコピー所要時間としてＬＣＤ５４に表示する（ＳＴ５３−２）。これらの情報をユーザに提示した段階で、電子ソートを行うかの選択がＬＣＤ５４に出され（ＳＴ５４）、ユーザが「ＹＥＳ」を選択すれば前述した電子ソート処理を行い（ＳＴ５５）、印刷を終了する。また、ＳＴ５４にて「ＮＯ」が選択された場合、ＬＣＤには「１スキャンマルチコピーを行うか？」との表示が出される（ＳＴ５６）。ここでユーザが「ＹＥＳ」を選択すれば、前述した１スキャンマルチコピー処理を行い（ＳＴ５７）、印刷を終了する。また、ＳＴ５６において「ＮＯ」が選択された場合、印刷動作は印刷を行わず終了する。
【００２７】
図１２は、前述した測定印刷モードの流れを示したサブルーチンのフローチャートである。測定印刷モードがＣＰＵ１００により指示されると、ＣＰＵ−汎用バスブリッジ１０１内にあるタイマ１０２が測定を開始し（ＳＴ５９）、ハードディスク１１４に記憶された画像データの読み出しが行われ（ＳＴ６０）、可変長圧縮／伸長部１０８にて可変長展開が行われ（ＳＴ６１）、ページメモリ１０７に記憶され（ＳＴ６２）、この時点でタイマ１０２がストップし（ＳＴ６３）、ＲＡＭ１０３に所要時間が展開所要時間として記憶される（ＳＴ６４）。続いてタイマー１０２が再計測を開始し（ＳＴ６５）、ページメモリ１０７内の画像データが固定長圧縮／伸長部１０９により固定長展開処理が行われた後（ＳＴ６６−１）、プリンタ制御部１１２に繋がれたレーザ出力ユニットへデータが送信され記録紙へ画像形成される（ＳＴ６６−２）。次の画像データがハードディスク１１４に送信可能になった段階でタイマ１０２がストップし（ＳＴ６８）、印刷所要時間をＲＡＭ１０３に記憶し（ＳＴ６９）、メインルーチンに戻る。
【００２８】
次に、図１３乃至図１４を用いて、本発明の第三の実施例を説明する。この実施例は、原稿の読み込み時に一部のみ先に印刷し、残りについては複写機側からの判断材料をもとにユーザが印刷方法を選択することができるものである。
【００２９】
ＣＰＵ１００が、コントロールパネル５０上の電子ソートキー５５がユーザにより押されたと判断した場合（ＳＴ７０）、ユーザに対して原稿をＡＤＦ２へセットさせる指示と、印刷部数入力指示をＬＣＤ５４に表示させる（ＳＴ７１）。また、電子ソートキー５５が押されない場合はそのまま終了する。この入力が終わり、ユーザがコピースタートキー５１を押すと（ＳＴ７２）、ページメモリ１０７内のデータが消去され（ＳＴ７３）、ＡＤＦ２による原稿のコンタクトガラス３２への搬送が行われ、前述した原稿読み込みがスキャナ３により始まり（ＳＴ７４）、固定長圧縮処理が開始される（ＳＴ７５）。固定長圧縮処理を終えた画像データは、ページメモリ１０７に一時記憶され（ＳＴ７６）、プリンタ制御部１１２と可変長圧縮／伸長部１０８に送られる。プリンタ制御部１１２に送られた画像データは、レーザ出力ユニット１４に送信可能と判断されると（ＳＴ７７）、固定長圧縮／伸長部１０９で固定長展開処理され（ＳＴ７８）、記録紙へ画像形成される（ＳＴ７９）。
【００３０】
また、可変長圧縮／伸長部１０８に送られた画像データは、可変長圧縮処理され（ＳＴ８０）、ハードディスク１１４に記憶される（ＳＴ８１）。ここで可変長圧縮された画像データのデータサイズは、ＲＡＭ１０３に記憶された後（ＳＴ８２）、その大きさはＬＣＤ５４に表示され（ＳＴ８３）、ユーザが確認することができる。次に、ＡＤＦ２に原稿があるかどうかの確認がＣＰＵ１００によりなされ（ＳＴ８４）、原稿が残っている場合はＳＴ７４に戻る。原稿がない場合は、ＲＡＭに記憶された各ページの画像データのデータサイズが読み出され（ＳＴ８５）、この各ページ毎に画像データのデータサイズをＬＣＤ５４に記憶する（ＳＴ８６）。更にもう一度画像データのデータサイズが読み出され（ＳＴ８７）、各ページのデータサイズよりデータ展開時間と印刷時間からなる各ページ印刷所要時間を計算する（ＳＴ８８）。この各ページ印刷処理時間の総合計を出し（ＳＴ８９）、総印刷部数に先に印刷した１部を除いた印刷部数を掛け合わせる（ＳＴ９０）ことで、電子ソート所要時間を出し、ＬＣＤ５４に表示する（ＳＴ９１）。次に各ページに対し、
展開時間＋一枚印刷時間×（印刷枚数−１）
を行い、各ページの印刷所要時間を計算し、すべてのページ分を足し合わせる（ＳＴ９２）。この合計時間を１スキャンマルチコピー所要時間としてＬＣＤ５４に表示する（ＳＴ９３）。以上により、ユーザに対して電子ソートを行うか１スキャンマルチコピーを行うかの参考資料を提供することができる。
【００３１】
この判断資料提示の後、電子ソートを行うかの選択がＬＣＤ５４に表示され（ＳＴ９４）、ユーザがＮＯを選択した場合は、次に１スキャンマルチコピーを選択するかどうかの表示がＬＣＤ５４に表示され（ＳＴ９８）、ＹＥＳが選択されれば前述した１スキャンマルチコピー処理が行われ（ＳＴ９９）、終了する。ただし、この時の各ページの印刷枚数は印刷部数から１部ひいたものである。ＳＴ９８においてＮＯが選択された場合には、そのまま終了する。
【００３２】
ＳＴ９４において、電子ソートを行うとユーザが指示した場合は、全て電子ソートで行うかの選択がＬＣＤ５４に表示される（ＳＴ９５）。ユーザがＹＥＳを選択した場合、印刷部数を（Ｎ−１）に設定して（ＳＴ９６）、前述した電子ソート処理（ＳＴ９７）が行われ、印刷が終了する。ＮＯが選択された場合は、新たに電子ソートをする部数ｍをテンキー５２で入力し（ＳＴ１００）、残り印刷部数を（ｎ−ｍ−１）として（ＳＴ１０１）、ｍ部の印刷を電子ソートで行うために前述した電子ソート処理を行う（ＳＴ１０２）。この電子ソート処理が終了すると、再度１スキャンマルチコピー所要時間と電子ソート所要時間を計算し、ＬＣＤ５４に表示する（ＳＴ１０３）。その後、ＳＴ９４に戻り、前述の処理を行う。
【００３３】
次に、機械式ソータを装着した場合の印刷方法を図１５乃至図１７を用いて説明する。図１５は、機械式ソータの構成図である。この機械式ソータは図１で示したデジタル複写機１の左部の排紙トレイ２６を取り外して設置される。プリンタ部４で画像形成された用紙は、排紙ローラ２５によりプリンタ部４の外部に放出され、機械式ソータ１３０の搬送ローラ１３１に送られ、そこから図の矢印ｂ方向に上下するビン１３３乃至１３９に送られる。このビン１３３乃至１３９は独自に用紙を積載することができる領域である。例えば、図のようにビン１３５に搬送ローラ１３１より用紙が搬送されたとすると、次の用紙が搬送される前にビン全体が下方向に移動し、ビン１３４が用紙積載可能状態となるような動作をし、この図の場合、７部の束の印刷が可能となるものである。
【００３４】
次に、この機械式ソータを用いた印刷動作を図１６乃至図１７を用いて説明する。ＣＰＵ１００が、コントロールパネル５０上の電子ソートキー５５がユーザにより押されたと判断した場合（ＳＴ１１０）、ユーザに対して原稿をＡＤＦ２へセットさせる指示と、印刷部数入力指示をＬＣＤ５４に表示させる（ＳＴ１１１）。また、電子ソートキー５５が押されない場合はそのまま終了する。この入力が終わり、ユーザがコピースタートキー５１を押すと（ＳＴ１１２）、ページメモリ１０７内のデータが消去され（ＳＴ１１３）、ＡＤＦ２による原稿のコンタクトガラス３２への搬送が行われ、前述した原稿読み込みがスキャナ３により始まり（ＳＴ１１４）、固定長圧縮処理が開始される（ＳＴ１１５）。固定長圧縮処理を終えた画像データは、ページメモリ１０７に一時記憶され（ＳＴ１１６）、プリンタ制御部１１２と可変長圧縮／伸長部１０８に送られる。プリンタ制御部１１２に送られた画像データは、レーザ出力ユニット１４に送信可能と判断されると（ＳＴ２６）、固定長圧縮／伸長部１０９で固定長展開処理され（ＳＴ１２７）、記録紙へ画像形成される（ＳＴ１２８）。
【００３５】
また、可変長圧縮／伸長部１０８に送られた画像データは、可変長圧縮処理され（ＳＴ１１７）、ハードディスク１１４に記憶される（ＳＴ１１８）。ここで可変長圧縮された画像データのデータサイズは、ＲＡＭ１０３に記憶された後（ＳＴ１１９）、ＡＤＦ２に原稿があるかどうかの確認がＣＰＵ１００によりなされ（ＳＴ１２０）、原稿が残っている場合はＳＴ１１４に戻る。原稿がない場合は、ＲＡＭに記憶された各ページの画像データのデータサイズが読み出され（ＳＴ１２１）、各ページのデータサイズよりデータ展開時間と印刷時間からなる各ページ印刷所要時間を計算する（ＳＴ１２２）。この各ページ印刷処理時間の総合計を出し、総印刷部数に先に印刷した１部を除いた印刷部数を掛け合わせることで、電子ソート所要時間αを算出する（ＳＴ１２３）。次に各ページに対し、
展開時間＋一枚印刷時間×（印刷枚数−１）
を行い、各ページの印刷所要時間を計算し（ＳＴ１２４）、すべてのページ分を足し合わせ、この合計時間を１スキャンマルチコピー所要時間βとする（ＳＴ１２５）。
【００３６】
ここで、印刷部数を初期の値から一部ひいた値に設定し直し（ＳＴ１２９）、「α＞β」かどうか判断され（ＳＴ１３０）、ＹＥＳの場合、１スキャンマルチコピー処理を行い（ＳＴ１３１）、終了する。この１スキャンマルチコピー処理は図９で示したものである。ＳＴ１３０においてＮＯと判断されると、電子ソート処理が行われ（ＳＴ１３２）、終了する。この電子ソート処理は図８で示したものである。
【００３７】
【発明の効果】
以上説明したように上記発明の実施の形態によれば、電子ソートと１スキャンマルチコピーの選択の際、その原稿のデータの大きさや印刷終了時間を表示してユーザに選択権を柔軟に提供する仕組みを提案することができた。これにより、様々な状況で最適な印刷方法を提供することができる。また、機械式ソータの組み合わせにより、より早い印刷方法をユーザの判断に頼らず行う仕組みを提供することができた。
【図面の簡単な説明】
【図１】この発明の画像形成装置に係るデジタル複写機の断面図。
【図２】この発明のデジタル複写機の上面図。
【図３】コントロールパネルの構成を示す図。
【図４】デジタル複写機の構成図。
【図５】ページメモリ１０７の領域を示す図。
【図６】画像処理の流れを示した概略図。
【図７】本発明の第一の実施例のフローチャート図。
【図８】電子ソート処理のフローチャート図。
【図９】１スキャンマルチコピー処理のフローチャート図。
【図１０】ＬＣＤ５４の表示例を示した図。
【図１１】本発明の第二の実施例のフローチャート図。
【図１２】印刷測定モードのフローチャート図。
【図１３】本発明の第三の実施例のフローチャート図。
【図１４】本発明の第三の実施例のフローチャート図。
【図１５】機械式ソータの断面図。
【図１６】本発明の第四の実施例のフローチャート図。
【図１７】本発明の第四の実施例のフローチャート図。
【符号の説明】
１    デジタル複写機
２    自動原稿送り装置
３    スキャナ
４    プリンタ部
５    感光体ドラム
６    帯電チャージャ
８    現像ユニット
９    転写部
１４    レーザ出力ユニット
２４    定着部
５０    コントロールパネル
５１    コピースタートキー
５４    ＬＣＤ
５５    電子ソートキー
５６    １スキャンマルチコピーキー
１００    ＣＰＵ
１０２    タイマ
１０３    ＲＡＭ
１０４    ＲＯＭ
１０６    画像転送制御部
１０７    ページメモリ
１０８    可変長圧縮／伸長部
１０９    固定長圧縮／伸長部
１１０    画像制御部
１１１    スキャナ制御部
１１２    プリンタ制御部
１１３    ハードディスク制御部
１１４    ハードディスク
１２１    シェーディング補正回路
１２２    γ補正回路
【図１】
0003937262.tif 000002
【図２】
0003937262.tif 000003
【図３】
0003937262.tif 000004
【図４】
0003937262.tif 000005
【図５】
0003937262.tif 000006
【図６】
0003937262.tif 000007
【図７】
0003937262.tif 000008
【図８】
0003937262.tif 000009
【図９】
0003937262.tif 000010
【図１０】
0003937262.tif 000011
【図１１】
0003937262.tif 000012
【図１２】
0003937262.tif 000013
【図１３】
0003937262.tif 000014
【図１４】
0003937262.tif 000015
【図１５】
0003937262.tif 000016
【図１６】
0003937262.tif 000017
【図１７】
0003937262.tif 000018